(57)【要約】      （修正有）【課題】採苗連や垂下連を作成するために、貝殻一つ一つに穴を開け、ワイヤーを通し、一枚毎にスペーサを介在させる作業を大幅に簡略化させることが可能な、牡蠣養殖用付着器を提供する。【解決手段】牡蠣養殖用付着器は、支持線に複数の盤体を固着して設け、盤体の中央部に突起部を設け、盤体及び突起部を貫通する孔部を設けた。盤体を樹脂で形成し、樹脂に、貝殻の粉末あるいは石の粉末の一方あるいは双方を含有させた。さらに、支持線に固着する盤体と盤体との距離を１５〜３５ｃｍにした。【選択図】図１
0003171833.tif 000002
【実用新案登録請求の範囲】
【請求項１】
支持線（５）に複数の盤体（９）を固着した牡蠣養殖用付着器。
【請求項２】
支持線（５）に複数の盤体（９）を固着すると共に、盤体（９）の中央部に突起部（７）を設け、当該盤体（９）及び突起部（７）を貫通する孔部（６）を設けた請求項１記載の牡蠣養殖用付着器。
【請求項３】
盤体（９）を樹脂で形成した請求項１又は請求項２に記載の牡蠣養殖用付着器。
【請求項４】
樹脂に、貝殻の粉末あるいは石の粉末の一方又は双方を含有させた請求項３記載の牡蠣養殖用付着器。
【請求項５】
支持線（５）に固着する盤体（９）と盤体（９）との距離を１５〜３５センチメートルにした請求項１乃至請求項４いずれかに記載の牡蠣養殖用付着器。
【考案の詳細な説明】
【技術分野】
【０００１】
本考案は牡蠣の養殖に用いられる付着器に関し、より詳しくは牡蠣の幼生を付着させ生育させるために用いられる付着器に関する。
【背景技術】
【０００２】
夏、卵からかえった牡蠣の幼生は、約２週間、浮遊生活を送り、その後、海水中の固着物に付着する。この時期に、帆立貝の貝殻にワイヤーを通して一定間隔で取り付けた採苗連を海中に入れておき、牡蠣幼生（約０．３ミリメートル）を付着させる。この作業を採苗という。この際、図６に示すように、貝殻１同士の間隔を一定に保つため、樹脂製のパイプをスペーサ２ａとして貝殻一枚ごとにワイヤー３ａに通す作業が行われる。なお、図６においては可視的にするため、スペーサ２ａと貝殻１との間に距離を設けてあるが、実際には貝殻１・・とスペーサ２ａ・・とは密着するものである。
【０００３】
一つの採苗連には貝殻７０枚前後が取り付けられており、上下の長さは１メートル程度になる。
【０００４】
採苗した牡蠣の幼生は、採苗連のまま沿岸の棚（抑制棚）に移動させる。抑制棚は、干潮の時より高い位置にあるため、採苗連は水中につかっている時間が少なくなるとともに、日光や風波にさらされることになる。係る工程は、牡蠣を大きくしないため（大きくなりすぎると翌年の夏の産卵後に死ぬことが多い）と、環境の変化に強い抵抗力を付けさせるために行われる。抑制棚に吊るされている期間は３〜６ヶ月程度である。
【０００５】
次いで、図７に示すように採苗連からホタテ貝の貝殻１をはずして、新しいワイヤー３ｂに１枚ずつ移し替えて垂下連を作成する。このことを通し替え作業という。一本のワイヤー３ｂに、６〜９枚程度の牡蠣の稚貝が付着した貝殻１を、３０センチ程度の間隔を開けて通す。係る間隔を維持するために、樹脂製のパイプをスペーサ２ｂとして貝殻一枚ごとに、ワイヤー３ｂに通す作業が行われる。なお、図７においては可視的にするため、スペーサ２ｂと貝殻１との間に距離を設けてあるが、実際には貝殻１・・とスペーサ２ｂ・・とは密着するものである。
【０００６】
かようにして作成された垂下連は、筏に吊し、１つの筏に約６００本が吊される。１本の垂下連の長さは、筏の海底までの距離により異なる。
【０００７】
かようにして垂下してから収穫するまでの期間は、短い期間の養殖方法（イキス養殖）でも１２〜１３ヶ月を要する。その間、牡蠣が死なないように、また、有害な生物が付着しないようにし、そして身が良く入るように様々な工夫がなされる。
【０００８】
上述のように、牡蠣を付着させるための付着器として一般的に貝殻が利用される。
【０００９】
そして、貝殻に代わる牡蠣養殖用付着器として、円板トレーの上面に凹凸を付け、更に積み重ねた円板トレーの回りにメッシュカーテンを施したもの（特開昭４９−１３１８９２）や、円板トレー表面にカルシウムを付着させたもの（特開昭５０−１４２３９３）が提案されている。
【先行技術文献】
【特許文献】
【００１０】
【特許文献１】特開昭４９−１３１８９２号公報
【特許文献２】特開昭５０−１４２３９３号公報
【考案の概要】
【考案が解決しようとする課題】
【００１１】
前記のように採苗連を作成するためには、貝殻一つ一つに穴を開け、ワイヤーを通し、一枚毎にスペーサを介在させるという作業が必要となる。更には垂下連を作成する際にも、採苗連から貝殻をはずして、新しいワイヤーに１枚ずつスペーサを介在させながら移し替える作業が必要となる。これら作業は手作業で行われており、非常に手間がかかるものである。
【００１２】
そこで、本考案はかかる作業を大幅に簡略化させることが可能な、牡蠣養殖用付着器を提供することを目的とする。
【課題を解決するための手段】
【００１３】
上記の目的を達成する本考案の構成は次の通りである。
【００１４】
（１）  請求項１に記載の牡蠣養殖用付着器は、支持線に複数の盤体を固着して設けた。
【００１５】
（２）  請求項２に記載の牡蠣養殖用付着器は、支持線に複数の盤体を固着すると共に、盤体の中央部に突起部を設け、当該盤体及び突起部を貫通する孔部を設けた。
【００１６】
（３）  請求項３に記載の牡蠣養殖用付着器は、盤体を樹脂で形成した。
【００１７】
（４）  請求項４に記載の牡蠣養殖用付着器は、樹脂に、貝殻の粉末あるいは石の粉末の一方あるいは双方を含有させた。
【００１８】
（５）  請求項５に記載の牡蠣養殖用付着器は、支持線に固着する盤体と盤体との距離を１５〜３５センチメートルにした。
【考案の効果】
【００１９】
本考案に係る牡蠣養殖用付着器４は、図２や図３に示されるように、盤体９の中央部に予め孔部６が設けてあるので、従来のように一つ一つ穴をあけるといった作業が不要となる。
【００２０】
牡蠣養殖用付着器４を採苗連として使用する際には、図４に示すように、この孔部６にワイヤー８等を挿通し、積み重ねて使用するものである。この際、突起部７がスペーサとしての役割を果たすので、従来のように一枚ごとにスペーサを手作業で介在させるといった手間が省けるのである。
【００２１】
また、そもそも本考案の場合、採苗連の形状にしなくとも、単にドラム等に本考案に係る付着器を巻回した状態で海中に放置すれば採苗が可能であり、より容易に作業を行うことが可能なものである。したがって、請求項１に記載の考案のように、支持線５に複数の盤体９を固着したもので、十分用途を果たすことが可能となるのである。
【００２２】
牡蠣養殖用付着器４を垂下連として使用している状態を示すのが図５である。採苗連の状態からワイヤー８を抜けば、牡蠣養殖用付着器４は支持線５に固着されていることから、自動的に垂下連となるのである。すなわち、従来のように、スペーサを一枚ごとに手作業で介在させるといった手間が省けるのである。
【００２３】
盤体９同士は一般的な垂下連と同様に１５〜３５センチメートル程度の間隔を採ることが好ましい。
【００２４】
請求項４記載の考案においては、盤体を形成する樹脂に貝殻の粉末や石の粉末が混入されている。これにより牡蠣の幼生の付着を促進させ、あるいは幼生の脱落を減らすことが可能となるのである。
【図面の簡単な説明】
【００２５】
【図１】請求項１記載の考案の斜視図。
【図２】本考案の斜視図。
【図３】ａ  本考案の正面図。
【００２６】
ｂ  同底面図。
【図４】本考案を採苗連として実施した状態を示す説明図。
【図５】本考案を垂下連として実施した状態を示す説明図。
【図６】従来例の実施状態を示す説明図。
【図７】従来例の実施状態を示す説明図。
【考案を実施するための形態】
【００２７】
以下、好ましい考案の実施形態を概説する。
【００２８】
牡蠣養殖用付着器４は、盤体４を支持線５に固着して形成されるものである。固着する方法としては、例えば樹脂を押出成形し、固化する前に支持線５に溶着するといった手段が採用可能である。請求項３記載の考案においては、樹脂に貝殻の粉末や石の粉末を混入して押出成形してある。
【００２９】
紐体たる支持線５はロープやベルト、ワイアーなどを利用可能であるが、垂下連として耐えうる強度を要するものである。
【００３０】
盤体４の形状は、図１乃至図５においては円盤状であるが、係る限定を受けるものではなく、方形の盤体や貝殻類似形状の盤体等、牡蠣が付着可能な形状であれば任意の形状を採用可能である。
【００３１】
請求項２に記載の考案においては、盤体４の中央部に円筒形状の突起部７が一体形成してあり、突起部７及び盤体９を貫通する孔部６が設けてある。
【符号の説明】
【００３２】
１‥貝殻
２ａ、２ｂ・・スペーサ
３ａ、３ｂ・・ワイアー
４・・牡蠣養殖用付着器
５・・支持線
６・・孔部
７・・突起部
８・・ワイヤー
９・・盤体
【図１】
0003171833.tif 000003
【図２】
0003171833.tif 000004
【図３】
0003171833.tif 000005
【図４】
0003171833.tif 000006
【図５】
0003171833.tif 000007
【図６】
0003171833.tif 000008
【図７】
0003171833.tif 000009